(57)【特許請求の範囲】
【請求項１】
粘着性を有する粘着シートと、
前記粘着シート上に固定された複数の光ファイバと、
前記光ファイバの入出力端部に取り付けられて光部品と接続する接続部材と
を備えた光ファイバアレイ部品において、
前記光ファイバから前記粘着シートの一部のみ又はすべてを除去できるように当該光ファイバに沿って当該粘着シートに切り込み線が形成されると共に、
前記光ファイバが、必要十分な曲率で湾曲すると共に入出力端部側を前記粘着シート上から飛び出させるように当該粘着シート上に配向されている
ことを特徴とする光ファイバアレイ部品。
【請求項２】
請求項１において、
前記光ファイバを横切る方向で前記粘着シートに切り込み線がさらに形成されている
ことを特徴とする光ファイバアレイ部品。
【請求項３】
請求項１または２において、
前記切り込み線が短冊状または賽の目状をなしている
ことを特徴とする光ファイバアレイ部品。
【請求項４】
請求項１から３のいずれかにおいて、
前記光ファイバの前記粘着シートと前記接続部材との間がテープ状に形成されている
ことを特徴とする光ファイバアレイ部品。
【請求項５】
請求項１から４のいずれかにおいて、
前記光ファイバが前記粘着シートに蛇行して固定されている
ことを特徴とする光ファイバアレイ部品。
【請求項６】
請求項１から５のいずれかにおいて、
前記光ファイバが高ＮＡ光ファイバである
ことを特徴とする光ファイバアレイ部品。
【請求項７】
請求項１から６のいずれかに記載の光ファイバアレイ部品を使用して光部品と接続する方法であって、
前記光ファイバアレイ部品の前記粘着シートの前記切り込み線に沿って当該粘着シートの少なくとも一部を前記光ファイバから剥離した後に、前記光部品に前記接続部材を接続するようにした
ことを特徴とする光部品との接続方法。
【請求項８】
請求項７において、
前記光部品が、配線ボード上に設けられて光ファイバ部品を接続された光導波路である
ことを特徴とする光部品との接続方法。
【請求項９】
請求項８において、
前記光ファイバアレイ部品の前記粘着シートを複数に分割するように前記切り込み線に沿って当該粘着シートの一部を前記光ファイバから剥離した後に、前記光導波路に前記接続部材を接続すると共に、複数に分割した上記粘着シートを前記配線ボード上にそれぞれ固定するようにした
ことを特徴とする光部品との接続方法。
【発明の詳細な説明】
【０００１】
【発明の属する技術分野】
本発明は、光ファイバアレイ部品及びこれを使用する光部品との接続方法に関する。
【０００２】
【従来の技術】
光通信において、光ファイバは、光信号の伝送媒体として不可欠な部品であり、光部品間等を繋ぐインタフェイスとしての役割を果たしている。このような光ファイバは、急激な曲げが加えられると折損してしまい、光信号の伝送が不可能になってしまう。そのため、短い距離の光部品間で光ファイバを曲折させながら接続する場合には、光ファイバを折損させないように十分な曲率で湾曲させなければならないため、光ファイバに余剰の長さを生じてしまい、取り扱いに難点を生じてしまう。
【０００３】
このため、従来は、粘着剤の塗布された粘着シート上に光ファイバを接着配線して当該光ファイバの余剰長部分を固定した光ファイバアレイ部品を予め作製しておくことにより、光ファイバの取り扱いの容易化を図り、光ファイバの光部品への接続作業を効率よくできるようにしている。
【０００４】
具体的には、例えば、図５に示すように、粘着シート１１１に固定配線した光ファイバ１１２の入出力端部にＶ字型または円型の溝を有する基板１１３を各々取り付けた光ファイバアレイ部品１１０を予め作製しておき、単芯の光ファイバ部品１０３を各々接続された一対の光部品である光導波路１０２を図示しない光ボード上に設けた光モジュール１００に対して、光ファイバアレイ部品１１０の上記基板１１３をそれぞれ接続することにより、当該光モジュール１００の上記光導波路１０２間を簡単に接続できるようにしている。
【０００５】
【発明が解決しようとする課題】
前述したような光ファイバアレイ部品１１０においては、作製誤差により、図３に示すように、粘着シート１１１から飛び出している光ファイバ１１２のテープ部１１２ａの長さにバラツキを生じてしまうため、光モジュール１００の光導波路１０２間を接続するにあたって、当該長さの長いテープ部１１２ａを曲げながら当該長さの短い光ファイバ１１２を接続する必要がある。このため、上記長さが大きくバラついてしまう場合には、当該長さの長いテープ部１１２ａを大きく湾曲させなければならず、接続できなくなってしまう。
【０００６】
このようなことから、本発明は、作製誤差を生じても、光部品への接続を常に容易に行うことができる光ファイバアレイ部品及びこれを使用する光部品との接続方法を提供することを目的とする。
【０００７】
【課題を解決するための手段】
前述した課題を解決するための、第一番目の発明による光ファイバアレイ部品は、粘着性を有する粘着シートと、前記粘着シート上に固定された光ファイバと、前記光ファイバの入出力端部に取り付けられて光部品と接続する接続部材とを備えた光ファイバアレイ部品において、前記光ファイバから前記粘着シートの一部のみ又はすべてを除去できるように当該光ファイバに沿って当該粘着シートに切り込み線が形成されると共に、前記光ファイバが、必要十分な曲率で湾曲すると共に入出力端部側を前記粘着シート上から飛び出させるように当該粘着シート上に配向されていることを特徴とする。
【０００８】
第二番目の発明による光ファイバアレイ部品は、第一番目の発明において、前記光ファイバを横切る方向で前記粘着シートに切り込み線がさらに形成されていることを特徴とする。
【０００９】
第三番目の発明による光ファイバアレイ部品は、第一番目または第二番目の発明において、前記切り込み線が短冊状または賽の目状をなしていることを特徴とする。
【００１１】
第四番目の発明による光ファイバアレイ部品は、第一番目から第三番目の発明のいずれかにおいて、前記光ファイバの前記粘着シートと前記接続部材との間がテープ状に形成されていることを特徴とする。
【００１２】
第五番目の発明による光ファイバアレイ部品は、第一番目から第四番目の発明のいずれかにおいて、前記光ファイバが前記粘着シートに蛇行して固定されていることを特徴とする。
【００１３】
第六番目の発明による光ファイバアレイ部品は、第一番目から第五番目の発明のいずれかにおいて、前記光ファイバが高ＮＡ光ファイバであることを特徴とする。
【００１４】
また、第七番目の発明は、第一番目から第六番目の発明のいずれかに記載の光ファイバアレイ部品を使用して光部品と接続する方法であって、前記光ファイバアレイ部品の前記粘着シートの前記切り込み線に沿って当該粘着シートの少なくとも一部を前記光ファイバから剥離した後に、前記光部品に前記接続部材を接続するようにしたことを特徴とする。
【００１５】
第八番目の発明による光部品との接続方法は、第七番目の発明において、前記光部品が、配線ボード上に設けられて光ファイバ部品を接続された光導波路であることを特徴とする。
【００１６】
第九番目の発明による光部品との接続方法は、第八番目の発明において、前記光ファイバアレイ部品の前記粘着シートを複数に分割するように前記切り込み線に沿って当該粘着シートの一部を前記光ファイバから剥離した後に、前記光導波路に前記接続部材を接続すると共に、複数に分割した上記粘着シートを前記配線ボード上にそれぞれ固定するようにしたことを特徴とする。
【００１７】
【発明の実施の形態】
本発明による光ファイバアレイ部品及びこれを使用する光部品との接続方法の実施の形態を以下に説明するが、本発明はこれらの実施の形態に限定されるものではない。
【００１８】
［第一番目の実施の形態］
本発明による光ファイバアレイ部品及びこれを使用する光部品との接続方法の第一番目の実施の形態を図１，２を用いて説明する。図１は、光ファイバアレイ部品の概略構成図、図２は、光部品との接続方法の説明図である。
【００１９】
図１に示すように、ポリイミド等のようなプラスチックスからなる粘着シート１１上には、必要十分な曲率で湾曲すると共に入出力端部側を当該粘着シート１１上から飛び出させるように配向された複数の光ファイバ１２が粘着剤を介して取り付けられている。上記光ファイバ１２の入出力端部は、Ｖ字型または円型の溝を有する接続部材である基板１３にそれぞれ所定の間隔（２５０μｍピッチ）で整列固定されている。光ファイバ１２の粘着シート１１と基板１３との間は、テープ部１２ａとして形成されている。
【００２０】
また、前記粘着シート１１には、切り込み線１１ａが形成されており、前記光ファイバ１２は、当該切り込み線１１ａに沿って接着され、当該切り込み線１１ａに沿って当該粘着シート１１を切り離すことにより、当該粘着シート１１から剥離することを容易に行うことができるようになっている。
【００２１】
このような光ファイバアレイ部品１０を、図２に示すような、単芯の光ファイバ部品１０３をそれぞれ接続された一対の光部品である光導波路１０２を配線ボード１０１上に設けた光モジュール１００に対して接続する場合には、光ファイバアレイ部品１０の粘着シート１１を前記切り込み線１１ａに沿って切り離すことにより、光ファイバ１２を折損することなく当該粘着シート１１から簡単に剥離することができるので、光ファイバ１２が拘束されることなく光モジュール１００に対して自由に配線することができる。
【００２２】
つまり、光ファイバ１２の取り扱いを容易にするものの当該光ファイバ１２の接続時には不要となる粘着シート１１に光ファイバ１２に沿って切り込み線を形成しておくことにより、光ファイバ１２の接続時に当該光ファイバ１２から粘着シート１１を剥離することが当該光ファイバ１２を折損させずに容易にできるようにしたのである。
【００２３】
このため、光ファイバアレイ部品１０の作製誤差により、粘着シート１１から飛び出している光ファイバ１２のテープ部１２ａの長さが大きくバラついていたとしても、当該長さの長いテープ部１２ａを湾曲させることなくすべての基板１３を光モジュール１００の光導波路１０２にそれぞれ接続することができるようになる。
【００２４】
したがって、このような光ファイバアレイ部品１０及びこれを使用する光部品との接続方法によれば、作製誤差により、粘着シート１１から飛び出している光ファイバ１２のテープ部１２ａの長さが大きくバラついていたとしても、光モジュール１００の光導波路１０２に基板１３を常に容易に接続することができる。
【００２５】
なお、粘着シート１１と光ファイバ１２とを引き剥がすにあたっては、例えば、光ファイバ１２を下側に位置させると共に粘着シート１１を上側に位置させるように光ファイバアレイ部品１０を裏返し、前記切り込み線１１ａに沿って粘着シート１１を切り取るようにして捲っていくことにより、光ファイバ１２を折損させることなく粘着シート１１から容易に引き剥がすことができる。
【００２６】
しかしながら、例えば、光ファイバ１２を上側に位置させると共に粘着シート１１を下側に位置させるように光ファイバアレイ部品１０を配向し、光ファイバ１２のテープ部１２ａを把持して当該光ファイバ１２を粘着シート１１から単に引き剥がそうとすると、光ファイバ１２の粘着シート１１から剥離した部分と粘着シート１１に接着している部分との境界部分が鋭角に折れ曲がってしまうため、光ファイバ１２を折損させてしまう場合がある。
【００２７】
［第二番目の実施の形態］
本発明による光ファイバアレイ部品及びこれを使用する光部品との接続方法の第二番目の実施の形態を図３，４を用いて説明する。図３は、光ファイバアレイ部品の概略構成図、図４は、光部品との接続方法の説明図である。ただし、前述した第一番目の実施の形態の場合と同様な部分については、前述した第一番目の実施の形態の説明で用いた符号と同様な符号を図面に付すことにより、その説明を省略する。
【００２８】
図３に示すように、粘着シート２１上には、必要十分な曲率（曲げ半径：１０ｍｍ）で湾曲すると共に入出力端部側を当該粘着シート２１上から飛び出させるように配向された複数の高ＮＡ光ファイバ（コアとクラッドとの比屈折率差が大きい光ファイバ）２２が粘着剤を介して取り付けられている。なお、高ＮＡ光ファイバ２２は、光の閉じ込めが強いため、第一番目の実施の形態で説明した通常の光ファイバ１２よりも曲げ半径を小さくできる特徴を有している。
【００２９】
この粘着シート２１上から飛び出している高ＮＡ光ファイバ２２の入出力端部側は、テープ部２２ａとして形成されている。この高ＮＡ光ファイバ２２の入出力端部には、通常の光ファイバテープ２４（モードフィールド径：１０μｍ程度）の一端側が接続部２５を介してそれぞれ融着接続または突き合わせ接続されている。これら光ファイバテープ２４の他端は、基板１３にそれぞれ所定の間隔（２５０μｍピッチ）で整列固定されている。
【００３０】
また、前記粘着シート２１は、前記光ファイバ２２に沿った切り込み線２１ａと、当該光ファイバ２２の曲折部分近傍で当該光ファイバ２２の径方向に沿った複数の切り込み線２１ｂとがそれぞれ形成されており、上記光ファイバ２２は、当該切り込み線２１ａ，２１ｂに沿って当該粘着シート２１を切り離すことにより、当該粘着シート２１から剥離することを容易に行うことができるようになっている。
【００３１】
このような光ファイバアレイ部品２０を、図４に示すような、対をなす単芯の光ファイバ部品１０３を接続された光部品である光導波路２０２を配線ボード１０１上に設けた光モジュール２００に対して接続する場合には、例えば、光ファイバアレイ部品２０の粘着シート２１を複数（本実施の形態では２つ）に分割するように前記切り込み線２１ａ，２１ｂに沿って当該粘着シート２１の一部を切り離すことにより、高ＮＡ光ファイバ２２を折損することなく当該光ファイバ２２の一部を当該粘着シート２１から剥離することができ、光モジュール２００に対して自由度を有しながら配線することができる。
【００３２】
つまり、前述した第一番目の実施の形態では、光ファイバ１２から粘着シート１１をすべて取り除くようにしたが、本実施の形態では、高ＮＡ光ファイバ２２から粘着シート２１を一部のみ取り除くようにしたのである。
【００３３】
このため、光ファイバアレイ部品２０の作製誤差（特に高ＮＡ光ファイバ２２と通常の光ファイバ２４とを融着接続または突き合わせ接続する際に生じる誤差）により、粘着シート２１から飛び出している前記光ファイバ２２，２４の長さが大きくバラついていたとしても、当該長さの長い光ファイバ２２，２４のテープ状部分を湾曲させることのないように、光モジュール２００の配線ボード１０１上に取り付けた固定シート２０４上に、複数に分割した粘着シート２１をそれぞれ配設して固定することにより、光ファイバアレイ部品２０のすべての基板１３を光モジュール２００の光導波路２０２にそれぞれ接続することが容易にできる。
【００３４】
したがって、このような光ファイバアレイ部品２０及びこれを使用する光部品との接続方法によれば、前述した第一番目の実施の形態の場合と同様に、作製誤差により、粘着シート２１から飛び出している前記光ファイバ２２，２４の長さが大きくバラついていたとしても、光モジュール２００の光導波路２０２に基板１３を常に容易に接続することができる。
【００３５】
なお、本実施の形態では、図３，４に示したように、光ファイバアレイ部品２０の高ＮＡ光ファイバ２２の曲折部分の間を直線状にして粘着シート２１に固定したが、例えば、上記曲折部分の間を蛇行させるように高ＮＡ光ファイバ２２を粘着シート２１に固定しておけば、光ファイバアレイ部品２０の粘着シート２１を複数に分割するように前記切り込み線２１ａ，２１ｂに沿って当該粘着シート２１の一部を切り離したときの高ＮＡ光ファイバ２２の自由になる長さをさらに長くすることができるので、前述した作製誤差がより大きい場合であっても、十分に対応することができる。
【００３６】
また、前述した実施の形態では、粘着シート１１，２１に光ファイバ１２，２２に沿って切り込み線１１ａ，２１ａを形成したり、粘着シート２１の光ファイバ２２の曲折部分近傍に当該光ファイバ２２の径方向に沿って切り込み線２１ｂを複数形成したりしたが、例えば、粘着シートに切り込み線を短冊状または賽の目状に形成するようにしても前述した実施の形態と同様な効果を得ることができる。
【００３７】
【発明の効果】
第一番目の発明による光ファイバアレイ部品は、粘着性を有する粘着シートと、前記粘着シート上に固定された光ファイバと、前記光ファイバの入出力端部に取り付けられて光部品と接続する接続部材とを備えた光ファイバアレイ部品において、前記光ファイバから前記粘着シートの一部のみ又はすべてを除去できるように当該光ファイバに沿って当該粘着シートに切り込み線が形成されると共に、前記光ファイバが、必要十分な曲率で湾曲すると共に入出力端部側を前記粘着シート上から飛び出させるように当該粘着シート上に配向されているので、粘着シートを切り込み線に沿って切り離すことにより、光ファイバを折損することなく当該粘着シートから簡単に剥離することができるようになる。このため、作製誤差等を生じたとしても、接続部材を光部品に接続することが容易にできる。また、余剰長を生じる光ファイバをまとめることが容易にできる。
【００３８】
第二番目の発明による光ファイバアレイ部品は、第一番目の発明において、前記光ファイバを横切る方向で前記粘着シートに切り込み線がさらに形成されているので、粘着シートを複数に分割するように前記切り込み線に沿って当該粘着シートの一部を切り離すことにより、光ファイバを折損することなく当該光ファイバの一部を当該粘着シートから剥離することができるようになる。このため、作製誤差等を生じたとしても、接続部材を光部品に接続することが容易にできる。
【００３９】
第三番目の発明による光ファイバアレイ部品は、第一番目または第二番目の発明において、前記切り込み線が短冊状または賽の目状をなしているので、第一番目または第二番目の発明による効果を簡単に得ることができる。
【００４１】
第四番目の発明による光ファイバアレイ部品は、第一番目から第三番目の発明のいずれかにおいて、前記光ファイバの前記粘着シートと前記接続部材との間がテープ状に形成されているので、光ファイバの入出力端部側に接続部材を取り付けることが容易にできる。
【００４２】
第五番目の発明による光ファイバアレイ部品は、第一番目から第四番目の発明のいずれかにおいて、前記光ファイバが前記粘着シートに蛇行して固定されているので、粘着シートを複数に分割するように前記切り込み線に沿って当該粘着シートの一部を切り離したときの光ファイバの自由長を長くすることができ、作製誤差等が大きい場合であったとしても、接続部材を光部品に接続することが容易にできる。
【００４３】
第六番目の発明による光ファイバアレイ部品は、第一番目から第五番目の発明のいずれかにおいて、前記光ファイバが高ＮＡ光ファイバであることから、光ファイバに光を強く閉じ込めることができ、光ファイバの曲げ半径を小さくすることができるので、余剰長の長さを短くすることができ、コンパクト化を図ることができる。
【００４４】
また、第七番目の発明は、第一番目から第六番目の発明のいずれかに記載の光ファイバアレイ部品を使用して光部品と接続する方法であって、前記光ファイバアレイ部品の前記粘着シートの前記切り込み線に沿って当該粘着シートの少なくとも一部を前記光ファイバから剥離した後に、前記光部品に前記接続部材を接続するので、光ファイバを折損することなく粘着シートから簡単に剥離することができ、光部品に対する光ファイバの接続の自由度を高くすることができる。このため、作製誤差等を生じたとしても、接続部材を光部品に接続することが容易にできる。
【００４５】
第八番目の発明による光部品との接続方法は、第七番目の発明において、前記光部品が、配線ボード上に設けられて光ファイバ部品を接続された光導波路であるので、光部品に接続部材を接続するときの容易化が顕著に発現するようになる。
【００４６】
第九番目の発明による光部品との接続方法は、第八番目の発明において、前記光ファイバアレイ部品の前記粘着シートを複数に分割するように前記切り込み線に沿って当該粘着シートの一部を前記光ファイバから剥離した後に、前記光導波路に前記接続部材を接続すると共に、複数に分割した上記粘着シートを前記配線ボード上にそれぞれ固定するようにしたので、光部品に接続部材を接続するときの容易化が顕著に発現するようになる。
【図面の簡単な説明】
【図１】本発明による光ファイバアレイ部品の第一番目の実施の形態の概略構成図である。
【図２】図１の光ファイバアレイ部品を使用する光部品との接続方法の説明図である。
【図３】本発明による光ファイバアレイ部品の第二番目の実施の形態の概略構成図である。
【図４】図３の光ファイバアレイ部品を使用する光部品との接続方法の説明図である。
【図５】従来の光ファイバアレイ部品を使用する光部品との接続方法の説明図である。
【符号の説明】
１０，２０  光ファイバアレイ部品
１１，２１  粘着シート
１１ａ，２１ａ，２１ｂ  切り込み線
１２  光ファイバ
１３  基板
２２  高ＮＡ光ファイバ
２４  光ファイバテープ
２５  接続部
１００，２００  光モジュール
１０１  配線ボード
１０２，２０２  光導波路
１０３  光ファイバ部品
２０４  固定シート
【図１】
0003891327.tif 000002
【図２】
0003891327.tif 000003
【図３】
0003891327.tif 000004
【図４】
0003891327.tif 000005
【図５】
0003891327.tif 000006